(57)【要約】【課題】ワイヤレスリモコン端末と制御装置とを備え、ワイヤレスリモコン端末から発せられる制御信号を用いて制御装置を遠隔操作することのできる警備システムにおいて、ワイヤレスリモコン端末と制御装置間の相互のＩＤ確認を、セキュリティ性を確保しながら簡略化する。【解決手段】ワイヤレスリモコン端末は、操作コマンドと、ワイヤレスリモコン端末に個別に割り当てられたＩＤとを含む制御信号を、無線信号にて送信し、その後一定時間だけ、受信モードに移行する。その時間内に、自己のＩＤと状態表示コマンドとを含む無線信号を受信したときには、状態表示コマンドに応じた状態表示を表示部におこなう。制御装置は、予め登録されたＩＤを含む無線制御信号を受信したときに、その制御信号に含まれる操作コマンドを実行し、その結果を、受信したＩＤと同一のＩＤとともに返送する。【選択図】図１
2008042231.tif 000002
【特許請求の範囲】
【請求項１】
ワイヤレスリモコン端末と制御装置とを備え、ワイヤレスリモコン端末から発せられる制御信号を用いて制御装置を遠隔操作することのできる警備システムであって、
ワイヤレスリモコン端末は、リモコン制御部と、送受信回路と、操作部と、表示部とを備え、前記リモコン制御部は、操作部が、操作されたときに、操作部から入力される操作信号の種類に応じた操作コマンドと、ワイヤレスリモコン端末に個別に割り当てられたＩＤとを含む制御信号を、送受信回路から無線信号にて送信させるとともに、その後一定時間だけ、送受信回路を受信モードに移行させ、その時間内に、ワイヤレスリモコン端末に個別に割り当てられたＩＤと状態表示コマンドとを含む無線信号を受信したときには、状態表示コマンドに応じた状態表示を表示部におこなわせるものであり、
制御装置は、制御部と、送受信回路と、メモリ回路とを備え、前記制御部は、予めメモリ回路に登録されたＩＤを含む無線制御信号を、送受信回路が受信したときに、その制御信号に含まれる操作コマンドを実行させ、その実行後の状態を確認し、確認結果をワイヤレスリモコン端末側で表示させるための状態表示コマンドに変換し、受信したＩＤと同一のＩＤとともに、送受信回路から無線信号にて送信させるものであることを特徴とする遠隔操作対応型警備システム。
【発明の詳細な説明】
【技術分野】
【０００１】
本発明は、無線信号を用いて警備システムの警備オン、警備オフ等を操作する遠隔操作型警備システムに関するものである。
【背景技術】
【０００２】
従来の警備システムは、監視対象となる家屋や社屋等の施設の通用口近辺に、警備システムの警戒状態と解除状態とを切り替えるキースイッチを設置し、その施設の最終退出者が、キースイッチに適合する鍵を用いて警備システムを警戒状態に切り替え、最初に入場する者が、キースイッチに適合する鍵を用いて解除状態に切り替えるようにしている。警備システムの管理を任された者だけに、キースイッチに適合する鍵の所持が許されており、それ以外の者が、警備システムを解除したり、警戒状態にしたりすることはできないようになっている。キースイッチと警備システムの監視制御装置本体との間は、配線により電気的に接続されており、キースイッチ側でも、警備システムが、解除状態となったか、警戒状態になったかがわかるようになっている。
【０００３】
このキースイッチの代わりを、ワイヤレスリモコン端末とそれに対応する制御装置とを用いておこなわせることもあるが、その場合は、特定のワイヤレスリモコン端末と特定の制御装置が、１対１で対応している必要がある。また、ワイヤレスリモコン端末側でも、警備システムが、解除状態となったか、警戒状態になったかがわかるようにするために、双方向通信が必要条件となる。ワイヤレスリモコン端末側とそれに対応する制御装置側に、工場にて予め同一のＩＤを記憶させておき、セットで販売し設置するようにしたり、ワイヤレスリモコン端末側と制御装置側に、個別にＩＤを記憶させておき、警備システム設置段階において、相互に対応するワイヤレスリモコン端末と制御装置のＩＤを登録して、運用するようにしたりしていた。対応するワイヤレスリモコン端末と制御装置のＩＤを登録する方法として、受信側を登録モードに切り替えて、送信側から信号を発すると送信側のＩＤが受信側に登録されるといった方式が考え出されている（例えば、特許文献１参照。）。
【特許文献１】特開平１−１６６２９１号公報
【発明の開示】
【発明が解決しようとする課題】
【０００４】
ワイヤレスリモコン端末側とそれに対応する制御装置側に、工場にて予め同一のＩＤを記憶させておく方法では、工場における製造工程中に、ＩＤ管理をともなう登録作業が必要となり、製造コストが増加する。また、設置後、設置現場においてＩＤ変更ができないため、ワイヤレスリモコン端末の紛失や、装置の故障が発生した場合、ワイヤレスリモコン端末と制御装置をセットで交換する必要があり、メンテナンスコストも増加する。
【０００５】
ワイヤレスリモコン端末側と制御装置側に、個別にＩＤを記憶させておき、警備システム設置段階において、相互に対応するワイヤレスリモコン端末と制御装置のＩＤを登録して運用する方法では、ワイヤレスリモコン端末と制御装置の両方に、登録モードに切り替えて、送信側から信号を発すると送信側のＩＤが登録されるといった専用の機能を備える必要があり、機器コストが増加する。また、警備システム設置段階において、２回の登録作業が必要となり、工事コストが増加する。
【課題を解決するための手段】
【０００６】
ワイヤレスリモコン端末と制御装置とを、次のような動作をおこなうような構成とする。ワイヤレスリモコン端末は、操作部が、操作されたときに、操作部から入力される操作信号の種類に応じた操作コマンドと、ワイヤレスリモコン端末に個別に割り当てられたＩＤとを含む制御信号を、無線信号にて送信し、その後一定時間だけ、受信モードに移行する。その時間内に、自己のＩＤと状態表示コマンドとを含む無線信号を受信したときには、状態表示コマンドに応じた状態表示を表示部におこなう。制御装置は、予め登録されたＩＤを含む無線制御信号を受信したときに、その制御信号に含まれる操作コマンドを実行し、その実行後の状態を確認し、確認結果をワイヤレスリモコン端末側で表示させるための状態表示コマンドに変換し、受信したＩＤと同一のＩＤとともに、無線信号にて送信する。
【発明の効果】
【０００７】
本発明の遠隔操作対応型警備システムは、ワイヤレスリモコン端末に個別に割り当てられたＩＤを、そのワイヤレスリモコン端末と組み合わされて使用される制御装置に登録するだけでよいので、警備システムの設置段階における作業が軽減される。制御装置に割り当てられたＩＤをワイヤレスリモコン端末に登録する必要がないので、ワイヤレスリモコン端末側に、制御装置側のＩＤが必要に応じ登録されるようにするといった専用の機能を追加する必要がなくなり、機器コストの上昇を防止することができる。ワイヤレスリモコン端末側だけに予めＩＤを記憶させておけばよいので、工場における製造工程では、同じＩＤが記憶されたワイヤレスリモコン端末が出荷されることのないように管理するだけでよく、製造コストの上昇を防止することができる。ワイヤレスリモコン端末に個別に割り当てられたＩＤを、そのワイヤレスリモコン端末と組み合わされて使用される制御装置に必要に応じ登録することができるので、ワイヤレスリモコン端末の紛失や、装置の故障が発生した場合でも、ワイヤレスリモコン端末と制御装置をセットで交換する必要がなく、メンテナンスコストも増加することがない。
【発明を実施するための最良の形態】
【０００８】
図３は、本発明の遠隔操作対応型警備システムのワイヤレスリモコン端末１の構成を示すブロック図である。送受信回路１１と、リモコン制御部１２と、操作部１３と、表示部１４とで構成され、全体の動きは、リモコン制御部１２によってコントロールされている。操作部１３は、警備開始スイッチ、警備解除スイッチ等の複数のスイッチで構成されている。表示部１４は、複数のＬＥＤや液晶表示素子等により構成され、受信した信号に基づく情報を表示する。例えば、警備オン、警備オフといったワイヤレスリモコン端末からの操作指示の実行結果を表示する。送受信回路１１は、操作部１２から入力される操作信号の種類に応じた操作コマンドと、ワイヤレスリモコン端末に個別に割り当てられたＩＤとを含む制御信号を、無線信号にて送信し、受信モードに移行したときには、ワイヤレスリモコン端末に個別に割り当てられたＩＤと状態表示コマンドとを含む無線信号を受信する。
【０００９】
図４は、本発明の遠隔操作対応型警備システムの制御装置２の構成を示すブロック図である。送受信回路２１と、制御部２２と、メモリ回路２３と、入力部２４と、出力部２５と、表示部２６と、操作部２７とで構成され、全体の動きは、制御部２２によってコントロールされる。メモリ回路２３は、制御装置２を遠隔操作するワイヤレスリモコン端末のＩＤを記憶するものであり、ここに記憶されたＩＤと同じＩＤを含む無線制御信号を受信したときに、その制御信号に含まれる操作コマンドを制御部２２が実行する。入力部２４は、侵入者検知器等から送られてくる無電圧の接点信号や、無線信号等の検知信号を受け付けるところである。出力部２５は、入力部２４で受け付けた検知信号を、電話回線接続用の通報機等に送る部分であり、無電圧の接点信号や、接続する機器に適応した形態の信号が出力される。
【００１０】
表示部２６は、制御部２２がコントロールする制御装置２全体の状態を表示する部分であり、ＬＥＤや液晶表示ユニット等の視覚表示部、チャイム、サイレン音、音声表示等の音表示部などにより構成される。操作部２７は、制御装置２全体の動きを操作するためのスイッチ等で構成される部分であり、警備オン、警備オフといった操作や、制御装置２の全体の動作モード、例えば対応するワイヤレスリモコン端末の登録モードと無線制御信号の送受信モードとの切替操作等をおこなう。
【００１１】
次に、本発明の遠隔操作対応型警備システムのワイヤレスリモコン端末と制御装置の動きをフローチャートを用いて説明する。図１は、ワイヤレスリモコン端末１の動作を示すフローチャートである。電池がセットされ、ワイヤレスリモコン端末１の動作がスタートすると、ステップＳ１１で送受信回路が送信モードに切り替えられる。そして、ステップＳ１２でスイッチ操作の入力待機状態となる。操作部１３の、警備開始スイッチが押されると、ステップＳ１３に移り、警備開始という操作コマンドとワイヤレスリモコン端末に個別に割り当てられたＩＤとを含む無線信号が送受信回路１１から発射される。その後ステップＳ１４で送受信回路が受信モードに切り替えられる。
【００１２】
ステップＳ１５でタイマーが起動し、ステップ１６でこのタイマーの終了を監視する。タイマーが作動する時間は、本実施例では５秒とし、この時間中はステップＳ１７とステップＳ１６を繰り返し、状態表示コマンドと自分のＩＤとを含んだ無線信号の受信を待つ。無線信号が受信されずに５秒経過すると、ステップＳ１６からステップＳ１１へ戻り、送受信回路が送信モードに切り替えられる。タイマー作動中に状態表示コマンドと自分のＩＤとを含んだ無線信号を受信すると、ステップＳ１８へ進み、状態表示コマンドに沿った表示をおこなう。警備開始という状態表示コマンドである場合には、表示部１４の警備オンという表示ＬＥＤを一定時間点灯させる。表示が終了すると、ステップＳ１１へ戻り、送受信回路が送信モードに切り替えられる。
【００１３】
図２は、制御装置２の動作を示すフローチャートである。電源が投入され、制御装置２の動作がスタートすると、ステップＳ２１で送受信回路が受信モードに切り替えられる。そして、ステップＳ２２へ進み、無線信号の受信待機状態となる。操作コマンドとワイヤレスリモコン端末に個別に割り当てられたＩＤとを含む無線信号が、送受信回路２１で受信されると、ステップＳ２３に進み、無線信号に含まれるＩＤがメモリ回路２３に予め記憶されているＩＤと同じものであるかどうかを照合する。そしてステップＳ２４で判定がおこなわれ、予め記憶されているＩＤと異なる場合には、ステップＳ２２へ戻り、再び無線信号の受信待機状態となる。
【００１４】
予め記憶されているＩＤと一致している場合には、ステップＳ２５へ進み、操作コマンドが実行される。警備開始という操作コマンドである場合には、制御装置２を警備状態に切り替える。そして、ステップＳ２６へ進み、制御装置２が警備状態に切り替わっているかどうかを確認する。その後、ステップＳ２７で送受信回路が送信モードに切り替えられる。ステップＳ２８では、ステップＳ２６で実行された状態確認結果に基づく状態表示コマンドと受信したＩＤとを含む無線信号を送受信回路２１から発射させる。警備が開始されている場合には、警備開始という状態表示コマンド、警備が開始されていない場合には、警備解除という状態表示コマンドを送信する。その後、ステップＳ２１へ戻り、送受信回路が受信モードに切り替えられる。
【００１５】
以上の説明は、操作部１３の、警備開始スイッチが押されたときを中心におこなったが、警備解除スイッチが押されたときは、警備解除という操作コマンドとワイヤレスリモコン端末に個別に割り当てられたＩＤとを含む無線信号が送受信回路１１から発射され、その後は、同様の過程を経て処理される。ワイヤレスリモコン端末のＩＤを制御装置へ登録する方法の詳細な説明は省略するが、本発明の実施形態では、制御装置を登録モードに切り替えて、ワイヤレスリモコン端末からＩＤを含む信号を送信するとそのＩＤが制御装置側に自動的に登録されるといった方式を採用した。
【図面の簡単な説明】
【００１６】
【図１】本発明の遠隔操作対応型警備システムのワイヤレスリモコン端末の動きを示したフローチャートである。
【図２】本発明の遠隔操作対応型警備システムの制御装置の動きを示したフローチャートである。
【図３】本発明の遠隔操作対応型警備システムのワイヤレスリモコン端末の構成を示したブロック図である。
【図４】本発明の遠隔操作対応型警備システムの制御装置の構成を示したブロック図である。
【符号の説明】
【００１７】
１・・・ワイヤレスリモコン端末
２・・・制御装置
１１・・・送受信回路
１２・・・リモコン制御部
１３・・・操作部
１４・・・表示部
２１・・・送受信回路
２２・・・制御部
２３・・・メモリ回路
２４・・・入力部
２５・・・出力部
２６・・・表示部
２７・・・操作部
【図１】
2008042231.tif 000003
【図２】
2008042231.tif 000004
【図３】
2008042231.tif 000005
【図４】
2008042231.tif 000006